(57)【要約】【課題】長焦点距離端において、もし焦点距離が４００mmを超えても、Ｆ値が明るく、諸収差を良好に補正して優れた光学性能を達成することができるズームレンズ系を得る。【解決手段】物体側から順に、正の第１レンズ群と、負の第２レンズ群と、少なくとも１枚の正レンズまたは負レンズを有する第３レンズ群と、正の第４レンズ群と、負の第５レンズ群とからなり、ワイド端からテレ端への変倍に際し、少なくとも、第１レンズ群、第２レンズ群、第４レンズ群、第５レンズ群が移動し、次の条件式（１）、（２）を満足するズームレンズ系。（１）−６．５＜ｆ１／ｆ５＜−４．６（２）−１．２＜ｆｗ／ｆ３＜０．７但し、ｆ１：第１レンズ群の焦点距離、ｆ３：第３レンズ群の焦点距離、ｆ５：第５レンズ群の焦点距離、ｆｗ：ワイド端におけるレンズ全系の焦点距離。【選択図】図１
2015129788.tif 000002
【特許請求の範囲】
【請求項１】
物体側から順に、正の屈折力の第１レンズ群と、負の屈折力の第２レンズ群と、少なくとも１枚の正レンズまたは負レンズを有する第３レンズ群と、正の屈折力の第４レンズ群と、負の屈折力の第５レンズ群とからなるズームレンズ系において、
短焦点距離端から長焦点距離端への変倍に際し、少なくとも、第１レンズ群、第２レンズ群、第４レンズ群、第５レンズ群が移動すること、及び
次の条件式（１）、（２）を満足することを特徴とするズームレンズ系。
（１）−６．５＜ｆ１／ｆ５＜−４．６
（２）−１．２＜ｆｗ／ｆ３＜０．７
但し、
ｆ１：第１レンズ群の焦点距離、
ｆ３：第３レンズ群の焦点距離、
ｆ５：第５レンズ群の焦点距離、
ｆｗ：短焦点距離端におけるレンズ全系の焦点距離。
【請求項２】
請求項１記載のズームレンズ系において、
第３レンズ群は、物体側から順に、正レンズと、負レンズと、正レンズまたは正の屈折力の接合レンズとからなり、次の条件式（３）、（４）を満足するズームレンズ系。
（３）０．７５＜ｆ３３／ｆ３１＜２．４
（４）−４．５＜ｆ３３／ｆ３２＜−１．９
但し、
ｆ３１：第３レンズ群中の最も物体側の正レンズの焦点距離、
ｆ３２：第３レンズ群中の最も物体側から２枚目の負レンズの焦点距離、
ｆ３３：第３レンズ群中の最も像側の正レンズまたは正の屈折力の接合レンズの焦点距離。
【請求項３】
請求項１または２記載のズームレンズ系において、
第３レンズ群は、短焦点距離端から長焦点距離端への変倍に際し、像面に対して固定されているズームレンズ系。
【請求項４】
請求項１ないし３のいずれか１項記載のズームレンズ系において、
第１レンズ群は、１枚の負レンズと２枚以上の正レンズとからなり、次の条件式（５）、（６）を満足するズームレンズ系。
（５）３３＜νｄ１ｎ＜４５
（６）７７＜νｄ１ｐ
但し、
νｄ１ｎ：第１レンズ群中の負レンズのｄ線に対するアッベ数、
νｄ１ｐ：第１レンズ群中の２枚以上の正レンズのｄ線に対するアッベ数の平均値。
【請求項５】
請求項１ないし４のいずれか１項記載のズームレンズ系において、
第５レンズ群は、無限遠物体から近距離物体へのフォーカシングに際して光軸方向に移動するフォーカスレンズ群であり、このフォーカスレンズ群である第５レンズ群は、物体側から順に、負レンズと、接合レンズと、負レンズとからなり、次の条件式（７）を満足するズームレンズ系。
（７）０．１５＜｜ｄ５３／ｆ５｜＜０．４５
但し、
ｄ５３：第５レンズ群中の接合レンズから最も像側の負レンズまでの軸上間隔、
ｆ５：第５レンズ群の焦点距離。
【請求項６】
請求項５記載のズームレンズ系において、
第５レンズ群中の接合レンズは、正レンズと負レンズからなり、次の条件式（８）、（９）を満足するズームレンズ系。
（８）νｄ５ｎ＞７２
（９）θｇＦ５ｎ＞−０．００１７×νｄ５ｎ＋０．６５５
但し、
νｄ５ｎ：第５レンズ群中の接合レンズの負レンズのｄ線に対するアッベ数、
θｇＦ５ｎ：第５レンズ群中の接合レンズの負レンズの部分分散比。
【請求項７】
請求項１ないし６のいずれか１項記載のズームレンズ系において、
第２レンズ群は、物体側から順に位置する物体側に凸面を向けた正レンズと像側に凹面を向けた負レンズの接合レンズからなり、次の条件式（１０）を満足するズームレンズ系。
（１０）νｄ２１＜νｄ２２
但し、
νｄ２１：第２レンズ群中の接合レンズの正レンズのｄ線に対するアッベ数、
νｄ２２：第２レンズ群中の接合レンズの負レンズのｄ線に対するアッベ数。
【請求項８】
請求項１ないし６のいずれか１項記載のズームレンズ系において、
第２レンズ群は、物体側から順に、負レンズ及び接合レンズからなり、像側の接合レンズは、負レンズと正レンズからなるズームレンズ系。
【発明の詳細な説明】
【技術分野】
【０００１】
本発明は、デジタル一眼レフカメラ等のレンズ交換式カメラに用いて好適な超望遠域を含むズームレンズ系に関する。
【背景技術】
【０００２】
長焦点距離端での焦点距離が４００mm（３５mm判フォーマット換算）を超えるいわゆる超望遠ズームレンズ系として、第１レンズ群のパワーを正とし最終レンズ群のパワーを負としてテレフォトタイプとした５群以上のズームレンズ構成が多く用いられている。このタイプの超望遠ズームレンズ系は、オートフォーカスに対応するため、無限遠物体から近距離物体へのフォーカシング方式として、第１レンズ群と最終レンズ群との間のレンズ群を光軸方向に移動させるインナーフォーカス方式、あるいは最終レンズ群を光軸方向に移動させるリアフォーカス方式を用いることが多い。
【０００３】
望遠ズームレンズ系では、長焦点距離端での軸上色収差や倍率色収差が大きくなるため、これを良好に補正することが要求される。また望遠ズームレンズ系では、長焦点距離端でのＦ値が６より明るいことがスペックとして要求されることがあるが、そのためには、球面収差も良好に補正することが要求される。しかし、長焦点距離端での焦点距離が４００mmを超えるいわゆる超望遠ズームレンズ系では、これら軸上色収差、倍率色収差、球面収差が増大して光学性能が劣化しがちである。さらに、望遠ズームレンズ系をデジタル一眼レフカメラ等のレンズ交換式カメラに用いる場合、マウントの制約で後方のレンズ群のレンズ径を大きくすることができないため、長焦点距離端での周辺光量が少なくなってしまう。
【０００４】
特許文献１には、正負正負正負の６群構成からなるズームレンズ系が開示されている。この特許文献１のズームレンズ系は、ズーミング時に５個のレンズ群（第１レンズ群、第３レンズ群、第４レンズ群、第５レンズ群、第６レンズ群）が光軸方向に移動し、フォーカシング時に２個のレンズ群（第４レンズ群、第６レンズ群）が光軸方向に移動するフローティングフォーカス方式を用いている。このため、ズーミング機構とフォーカシング機構を含む機構全体が大型化、重量化、複雑化してしまう。また特許文献１のズームレンズ系は、フォーカシング時に球面収差や像面湾曲が大きく発生して光学性能が劣化してしまう。
【０００５】
特許文献２には、正負正正負の５群構成からなりズーミング時に５個のレンズ群の全てが光軸方向に移動するズームレンズ系、及び正負正正正負の６群構成からなりズーミング時に６個のレンズ群の全てが光軸方向に移動するズームレンズ系が開示されている。しかし、特許文献２のズームレンズ系は、ズーミング機構を含む機構全体が大型化、重量化、複雑化し、また、長焦点距離端で球面収差が大きく発生して光学性能が劣化してしまう。
【０００６】
特許文献３には、正負正正負の５群構成からなり且つ絞りが各レンズ群とは独立して光軸方向に移動するズームレンズ系が開示されている。特許文献３のズームレンズ系は、長焦点距離端での焦点距離が４９０mmと長いが、長焦点距離端でのＦ値が６．２５と暗く、長焦点距離端で軸上色収差が大きく発生して光学性能が劣化してしまう。また特許文献３のズームレンズ系は、ズーミング時に、第２レンズ群を像面に対して固定としているが、絞りが独立群として光軸方向に移動するため、結局、５個の独立群が光軸方向に移動することになり、ズーミング機構を含む機構全体が大型化、重量化、複雑化してしまう。さらに特許文献３のズームレンズ系は、フォーカシング時に第１レンズ群を光軸方向に移動させるフロントフォーカシング方式を用いているが、第１レンズ群は径も重量も大きいため、オートフォーカスには不向きである。
【０００７】
特許文献４には、正負正正負の５群構成からなるズームレンズ系が開示されている。特許文献４のズームレンズ系は、長焦点距離端での焦点距離が４８５mmと長くてＦ値が５．８と明るめであるが、長焦点距離端で色収差が大きく発生して光学性能が劣化してしまう。また特許文献４のズームレンズ系は、フォーカシング時に第５レンズ群を光軸方向に移動させるリアフォーカス方式を用いているが、フォーカシング時に球面収差や像面湾曲が大きく発生して光学性能が劣化してしまう。
【先行技術文献】
【特許文献】
【０００８】
【特許文献１】特許第４２２７２２３号公報
【特許文献２】特開２００９−１６８９３３号公報
【特許文献３】特許第４１１５７４６号公報
【特許文献４】特開２０１１−１７９１２号公報
【発明の概要】
【発明が解決しようとする課題】
【０００９】
本発明は、以上の問題意識に基づいてなされたものであり、長焦点距離端において、もし焦点距離が４００mmを超えても、Ｆ値が明るく、諸収差を良好に補正して優れた光学性能を達成することができるズームレンズ系を得ることを目的とする。
【課題を解決するための手段】
【００１０】
本発明のズームレンズ系は、物体側から順に、正の屈折力の第１レンズ群と、負の屈折力の第２レンズ群と、少なくとも１枚の正レンズまたは負レンズを有する第３レンズ群と、正の屈折力の第４レンズ群と、負の屈折力の第５レンズ群とからなるズームレンズ系において、短焦点距離端から長焦点距離端への変倍に際し、少なくとも、第１レンズ群、第２レンズ群、第４レンズ群、第５レンズ群が移動すること、及び次の条件式（１）、（２）を満足することを特徴としている。
（１）−６．５＜ｆ１／ｆ５＜−４．６
（２）−１．２＜ｆｗ／ｆ３＜０．７
但し、
ｆ１：第１レンズ群の焦点距離、
ｆ３：第３レンズ群の焦点距離、
ｆ５：第５レンズ群の焦点距離、
ｆｗ：短焦点距離端におけるレンズ全系の焦点距離、
である。
【００１１】
第３レンズ群は、正または負の屈折力を有することができ、実質的なパワーをゼロとすることもできる。
【００１２】
条件式（１）が規定する条件範囲の中でも、次の条件式（１’）を満足することが好ましい。
（１’）−６．０＜ｆ１／ｆ５＜−４．６
【００１３】
条件式（２）が規定する条件範囲の中でも、次の条件式（２’）を満足することが好ましい。
（２’）−１．０＜ｆｗ／ｆ３＜０．５
【００１４】
本発明のズームレンズ系は、第３レンズ群が、物体側から順に、正レンズと、負レンズと、正レンズまたは正の屈折力の接合レンズとからなり、次の条件式（３）、（４）を満足することが好ましい。
（３）０．７５＜ｆ３３／ｆ３１＜２．４
（４）−４．５＜ｆ３３／ｆ３２＜−１．９
但し、
ｆ３１：第３レンズ群中の最も物体側の正レンズの焦点距離、
ｆ３２：第３レンズ群中の最も物体側から２枚目の負レンズの焦点距離、
ｆ３３：第３レンズ群中の最も像側の正レンズまたは正の屈折力の接合レンズの焦点距離。
【００１５】
条件式（３）が規定する条件範囲の中でも、次の条件式（３’）を満足することが好ましい。
（３’）１．０＜ｆ３３／ｆ３１＜２．４
【００１６】
条件式（４）が規定する条件範囲の中でも、次の条件式（４’）を満足することが好ましい。
（４’）−４．２＜ｆ３３／ｆ３２＜−２．０
【００１７】
第３レンズ群は、短焦点距離端から長焦点距離端への変倍に際し、像面に対して固定されている（光軸方向に移動しない）ことが好ましい。
【００１８】
本発明のズームレンズ系は、第１レンズ群が、１枚の負レンズと２枚以上の正レンズとからなり、次の条件式（５）、（６）を満足することが好ましい。
（５）３３＜νｄ１ｎ＜４５
（６）７７＜νｄ１ｐ
但し、
νｄ１ｎ：第１レンズ群中の負レンズのｄ線に対するアッベ数、
νｄ１ｐ：第１レンズ群中の２枚以上の正レンズのｄ線に対するアッベ数の平均値、
である。
【００１９】
本発明のズームレンズ系は、第５レンズ群が、無限遠物体から近距離物体へのフォーカシングに際して光軸方向に移動するフォーカスレンズ群であり、このフォーカスレンズ群である第５レンズ群が、物体側から順に、負レンズと、接合レンズと、負レンズとからなり、次の条件式（７）を満足することが好ましい。
（７）０．１５＜｜ｄ５３／ｆ５｜＜０．４５
但し、
ｄ５３：第５レンズ群中の接合レンズから最も像側の負レンズまでの軸上間隔（第５レンズ群中の接合レンズの像側の面から最も像側の負レンズの物体側の面までの空気間隔）、
ｆ５：第５レンズ群の焦点距離、
である。
【００２０】
本発明のズームレンズ系は、第５レンズ群中の接合レンズが、正レンズと負レンズからなり、次の条件式（８）、（９）を満足することが好ましい。
（８）νｄ５ｎ＞７２
（９）θｇＦ５ｎ＞−０．００１７×νｄ５ｎ＋０．６５５
但し、
νｄ５ｎ：第５レンズ群中の接合レンズの負レンズのｄ線に対するアッベ数、
θｇＦ５ｎ：第５レンズ群中の接合レンズの負レンズの部分分散比、
である。
【００２１】
本発明のズームレンズ系は、第２レンズ群が、物体側から順に位置する物体側に凸面を向けた正レンズと像側に凹面を向けた負レンズの接合レンズからなり、次の条件式（１０）を満足することが好ましい。
（１０）νｄ２１＜νｄ２２
但し、
νｄ２１：第２レンズ群中の接合レンズの正レンズのｄ線に対するアッベ数、
νｄ２２：第２レンズ群中の接合レンズの負レンズのｄ線に対するアッベ数、
である。
【００２２】
本発明のズームレンズ系は、次の条件式（１１）を満足することが好ましい。
（１１）ｎｄ２１＜ｎｄ２２
但し、
ｎｄ２１：第２レンズ群中の接合レンズの正レンズのｄ線に対する屈折率、
ｎｄ２２：第２レンズ群中の接合レンズの負レンズのｄ線に対する屈折率、
である。
【００２３】
本発明のズームレンズ系は、次の条件式（１２）を満足することが好ましい。
（１２）θｇＦ２２＜−０．００１６×νｄ２２＋０．６３７
但し、
νｄ２２：第２レンズ群中の接合レンズの負レンズのｄ線に対するアッベ数、
θｇＦ２２：第２レンズ群中の接合レンズの負レンズの部分分散比、
である。
【００２４】
あるいは、本発明のズームレンズ系は、第２レンズ群が、物体側から順に、負レンズ及び接合レンズから構成されており、像側の接合レンズが、負レンズと正レンズから構成されていてもよい。
【００２５】
本発明のズームレンズ系は、次の条件式（１３）を満足することが好ましい。
（１３）−２．３＜ｆ１／ｆ２＜−１．１
但し、
ｆ１：第１レンズ群の焦点距離、
ｆ２：第２レンズ群の焦点距離、
である。
【００２６】
本発明のズームレンズ系は、別の態様では、物体側から順に、正の屈折力の第１レンズ群と、負の屈折力の第２レンズ群と、正または負の屈折力の第３レンズ群と、正の屈折力の第４レンズ群と、負の屈折力の第５レンズ群とからなるズームレンズ系において、短焦点距離端から長焦点距離端への変倍に際し、少なくとも、第１レンズ群、第２レンズ群、第４レンズ群、第５レンズ群が移動すること、及び次の条件式（１）、（２）を満足することを特徴としている。
（１）−６．５＜ｆ１／ｆ５＜−４．６
（２）−１．２＜ｆｗ／ｆ３＜０．７（ｆｗ／ｆ３≠０）
但し、
ｆ１：第１レンズ群の焦点距離、
ｆ３：第３レンズ群の焦点距離、
ｆ５：第５レンズ群の焦点距離、
ｆｗ：短焦点距離端におけるレンズ全系の焦点距離、
である。
【００２７】
本発明のズームレンズ系は、さらに別の態様では、物体側から順に、正の屈折力の第１レンズ群と、負の屈折力の第２レンズ群と、正の屈折力の第３レンズ群と、正の屈折力の第４レンズ群と、負の屈折力の第５レンズ群とからなるズームレンズ系において、短焦点距離端から長焦点距離端への変倍に際し、少なくとも、第１レンズ群、第２レンズ群、第４レンズ群、第５レンズ群が移動すること、及び次の条件式（１）、（２−１）を満足することを特徴としている。
（１）−６．５＜ｆ１／ｆ５＜−４．６
（２−１）０＜ｆｗ／ｆ３＜０．７
但し、
ｆ１：第１レンズ群の焦点距離、
ｆ３：第３レンズ群の焦点距離、
ｆ５：第５レンズ群の焦点距離、
ｆｗ：短焦点距離端におけるレンズ全系の焦点距離、
である。
【００２８】
本発明のズームレンズ系は、さらに別の態様では、物体側から順に、正の屈折力の第１レンズ群と、負の屈折力の第２レンズ群と、負の屈折力の第３レンズ群と、正の屈折力の第４レンズ群と、負の屈折力の第５レンズ群とからなるズームレンズ系において、短焦点距離端から長焦点距離端への変倍に際し、少なくとも、第１レンズ群、第２レンズ群、第４レンズ群、第５レンズ群が移動すること、及び次の条件式（１）、（２−２）を満足することを特徴としている。
（１）−６．５＜ｆ１／ｆ５＜−４．６
（２−２）−１．２＜ｆｗ／ｆ３＜０
但し、
ｆ１：第１レンズ群の焦点距離、
ｆ３：第３レンズ群の焦点距離、
ｆ５：第５レンズ群の焦点距離、
ｆｗ：短焦点距離端におけるレンズ全系の焦点距離、
である。
【発明の効果】
【００２９】
本発明によれば、長焦点距離端において、もし焦点距離が４００mmを超えても、Ｆ値が明るく、諸収差を良好に補正して優れた光学性能を達成することができるズームレンズ系が得られる。
【図面の簡単な説明】
【００３０】
【図１】本発明によるズームレンズ系の数値実施例１の短焦点距離端における無限遠合焦時のレンズ構成図である。
【図２】図１の構成における諸収差図である。
【図３】図１の構成における横収差図である。
【図４】同数値実施例１の長焦点距離端における無限遠合焦時のレンズ構成図である。
【図５】図４の構成における諸収差図である。
【図６】図４の構成における横収差図である。
【図７】本発明によるズームレンズ系の数値実施例２の短焦点距離端における無限遠合焦時のレンズ構成図である。
【図８】図７の構成における諸収差図である。
【図９】図７の構成における横収差図である。
【図１０】同数値実施例２の長焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の短焦点距離端における無限遠合焦時のレンズ構成図である。
【図１４】図１３の構成における諸収差図である。
【図１５】図１３の構成における横収差図である。
【図１６】同数値実施例３の長焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の短焦点距離端における無限遠合焦時のレンズ構成図である。
【図２０】図１９の構成における諸収差図である。
【図２１】図１９の構成における横収差図である。
【図２２】同数値実施例４の長焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の短焦点距離端における無限遠合焦時のレンズ構成図である。
【図２６】図２５の構成における諸収差図である。
【図２７】図２５の構成における横収差図である。
【図２８】同数値実施例５の長焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の短焦点距離端における無限遠合焦時のレンズ構成図である。
【図３２】図３１の構成における諸収差図である。
【図３３】図３１の構成における横収差図である。
【図３４】同数値実施例６の長焦点距離端における無限遠合焦時のレンズ構成図である。
【図３５】図３４の構成における諸収差図である。
【図３６】図３４の構成における横収差図である。
【図３７】本発明によるズームレンズ系の数値実施例７の短焦点距離端における無限遠合焦時のレンズ構成図である。
【図３８】図３７の構成における諸収差図である。
【図３９】図３７の構成における横収差図である。
【図４０】同数値実施例７の長焦点距離端における無限遠合焦時のレンズ構成図である。
【図４１】図４０の構成における諸収差図である。
【図４２】図４０の構成における横収差図である。
【図４３】本発明によるズームレンズ系のズーム軌跡を示す簡易移動図である。
【発明を実施するための形態】
【００３１】
本実施形態のズームレンズ系は、全数値実施例１−７を通じて、図４３の簡易移動図に示すように、物体側から順に、正の屈折力の第１レンズ群Ｇ１と、負の屈折力の第２レンズ群Ｇ２と、正または負の屈折力の第３レンズ群Ｇ３と、正の屈折力の第４レンズ群Ｇ４と、負の屈折力の第５レンズ群Ｇ５とからなる（正負負正負または正負正正負の５群ズームレンズ構成）。第３レンズ群Ｇ３と第４レンズ群Ｇ４との間（第３レンズ群Ｇ３の直後）には絞りＳが位置している。Ｉは像面（イメージセンサ面）である。
【００３２】
本実施形態のズームレンズ系は、全数値実施例１−７を通じて、図４３の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が減少し、第４レンズ群Ｇ４と第５レンズ群Ｇ５の間隔が減少する。
第１レンズ群Ｇ１、第４レンズ群Ｇ４及び第５レンズ群Ｇ５は、短焦点距離端から長焦点距離端への変倍に際し、単調に物体側に移動する（繰り出される）。第１レンズ群Ｇ１の移動量（繰り出し量）が最も大きく、第５レンズ群Ｇ５の移動量（繰り出し量）が２番目に大きく、第４レンズ群Ｇ４の移動量（繰り出し量）が最も小さくなっている。
第２レンズ群Ｇ２は、短焦点距離端から長焦点距離端への変倍に際し、単調に像側に移動する。
第３レンズ群Ｇ３は、短焦点距離端から長焦点距離端への変倍に際し、直後に位置する絞りＳと一緒に、像面Ｉに対して固定されている（光軸方向に移動しない）。
【００３３】
本実施形態のズームレンズ系は、全数値実施例１−７を通じて、図４３の簡易移動図に示すように、無限遠物体から有限距離物体へ合焦させるに際し、最も像側の負の屈折力の第５レンズ群Ｇ５を像側に移動させるリアフォーカス方式を採用している。
【００３４】
第１レンズ群Ｇ１は、全数値実施例１−７を通じて、物体側から順に、負レンズ１１と、正レンズ１２と、正レンズ１３とからなる。負レンズ１１と正レンズ１２は、数値実施例１、２、７では接合されておらず、数値実施例３−６では接合されている。
【００３５】
第２レンズ群Ｇ２は、数値実施例１−６では、物体側から順に位置する正レンズ（物体側に凸面を向けた正レンズ）２１と負レンズ（像側に凹面を向けた負レンズ）２２の接合レンズからなる。
第２レンズ群Ｇ２は、数値実施例７では、物体側から順に、負レンズ２１’と、負レンズ２２’と、正レンズ２３’とからなる。負レンズ２２’と正レンズ２３’は接合されている。
【００３６】
第３レンズ群Ｇ３は、数値実施例１−４では、物体側から順に、正レンズ３１と、負レンズ３２と、正レンズ３３と、負レンズ３４とからなる。正レンズ３３と負レンズ３４は接合されており、この接合レンズは正の屈折力を持っている。
第３レンズ群Ｇ３は、数値実施例５−７では、物体側から順に、正レンズ３１’と、負レンズ３２’と、正レンズ３３’とからなる。
【００３７】
第４レンズ群Ｇ４は、全数値実施例１−７を通じて、物体側から順に、負レンズ４１と、正レンズ４２と、正レンズ４３と、負レンズ４４と、正レンズ４５とからなる。正レンズ４３と負レンズ４４は接合されている。
【００３８】
第５レンズ群Ｇ５は、全数値実施例１−７を通じて、物体側から順に、負レンズ５１と、正レンズ５２と、負レンズ５３と、負レンズ５４とからなる。正レンズ５２と負レンズ５３は接合されている。
【００３９】
本実施形態のズームレンズ系は、正負負正負または正負正正負のテレフォトタイプの５群ズームレンズ構成であり、焦点距離が４００mmを超える超望遠域をカバーし（長焦点距離端での焦点距離が４００mmを超えており）、長焦点距離端でのＦ値を６より明るくすることに成功している。
【００４０】
また本実施形態のズームレンズ系は、オートフォーカスを有利に行うために、フォーカシング方式として、最も像側の負の屈折力の第５レンズ群Ｇ５を像側に移動させるリアフォーカス方式を採用している。
【００４１】
さらに本実施形態のズームレンズ系は、第３レンズ群Ｇ３の正または負のパワーを極限まで小さく設定した上で、ズーミングに際して第３レンズ群Ｇ３を絞りＳと一緒に像面Ｉに対して固定することにより、ズーミング時に移動するレンズ群（移動群）を少なくして、ズーミング機構を含む機構全体の小型化、軽量化、構造の簡単化を図っている。
【００４２】
そして本実施形態のズームレンズ系は、第１レンズ群Ｇ１、第３レンズ群Ｇ３及び第５レンズ群Ｇ５を含むレンズ群のパワーバランスを最適設定することにより、諸収差を良好に補正して優れた光学性能を得るとともに、レンズ全長を短縮化している。
【００４３】
条件式（１）及び（１’）は、第１レンズ群Ｇ１の焦点距離と、第５レンズ群Ｇ５の焦点距離との比を規定している。条件式（１）を満足することで、特に長焦点距離端において、諸収差を良好に補正するとともにフォーカシング時の収差変動を抑えて優れた光学性能を達成し、同時に、レンズ全長の短縮化を図ることができる。この効果は、条件式（１’）を満足することでより顕著に得ることができる。
条件式（１）及び（１’）の上限を上回ると、第１レンズ群Ｇ１の正のパワーが強くなりすぎて、長焦点距離端で球面収差や軸上色収差が大きく発生してしまう。また第５レンズ群Ｇ５の負のパワーが弱くなりすぎて、フォーカスレンズ群である第５レンズ群のフォーカシング移動量が大きくなり、レンズ全長が増大してしまう。
条件式（１）の下限を下回ると、第５レンズ群Ｇ５の負のパワーが強くなりすぎて、ディストーションが大きく発生するとともに、フォーカシング時の収差変動が大きくなってしまう。また第１レンズ群Ｇ１の正のパワーが弱くなりすぎて、特に長焦点距離端でのレンズ全長が増大してしまう。
【００４４】
条件式（２）及び（２’）は、短焦点距離端におけるレンズ全系の焦点距離と、第３レンズ群Ｇ３の焦点距離との比を規定している。条件式（２）を満足することで、ズーム全域に亘る球面収差および長焦点距離端におけるコマ収差や非点収差を良好に補正して優れた光学性能を達成することができる。この効果は、条件式（２’）を満足することでより顕著に得ることができる。
条件式（２）の上限を上回ると、第３レンズ群Ｇ３の正のパワーが強くなりすぎて、ズーム全域に亘って第３レンズ群Ｇ３で大きな球面収差が発生してしまう。
条件式（２）の下限を下回ると、第３レンズ群Ｇ３の負のパワーが強くなりすぎて、第１レンズ群Ｇ１と第４レンズ群Ｇ４の正のパワーを大きくしなければならないため、長焦点距離端でコマ収差や非点収差が大きく発生してしまう。
【００４５】
ここで、条件式（１）、（２）は必ずしも同時に満足する必要は無く（これらの条件式は一体不可分ではなく）、条件式（１）、（２）のいずれか一方を満足するズームレンズ系であっても、一定の効果を得ることができ、本発明に係るズームレンズ系の技術的範囲に含まれ得る。
【００４６】
上述したように、第３レンズ群Ｇ３は、全数値実施例１−７を通じて、物体側から順に、正レンズ（３１または３１’）と、負レンズ（３２または３２’）と、正レンズ（３３’）または正の屈折力の接合レンズ（３３と３４）とからなる。これにより、第２レンズ群Ｇ２から発散度または収束度が弱い光束が入射しても、収差補正を良好に行うことができる。
【００４７】
条件式（３）は、第３レンズ群Ｇ３を上記のように構成した上で、第３レンズ群Ｇ３中の最も物体側の正レンズ（３１または３１’）の焦点距離と、第３レンズ群Ｇ３中の最も像側の正レンズ（３３’）または正の屈折力の接合レンズ（３３と３４）の焦点距離との比を規定している。条件式（３）を満足することで、球面収差やコマ収差を良好に補正して優れた光学性能を達成することができる。この効果は、条件式（３’）を満足することでより顕著に得ることができる。
条件式（３）及び（３’）の上限を上回ると、第３レンズ群Ｇ３中の最も物体側の正レンズ（３１または３１’）の正のパワーが強くなりすぎて、球面収差が大きく発生してしまう。
条件式（３）の下限を下回ると、第３レンズ群Ｇ３中の最も像側の正レンズ（３３’）または正の屈折力の接合レンズ（３３と３４）の正のパワーが強くなりすぎて、球面収差やコマ収差が大きく発生してしまう。
【００４８】
条件式（４）は、第３レンズ群Ｇ３を上記のように構成した上で、第３レンズ群Ｇ３中の最も物体側から２枚目の負レンズ（３２または３２’）の焦点距離と、第３レンズ群Ｇ３中の最も像側の正レンズ（３３’）または正の屈折力の接合レンズ（３３と３４）の焦点距離との比を規定している。条件式（４）を満足することで、球面収差を良好に補正して優れた光学性能を達成することができる。この効果は、条件式（４’）を満足することでより顕著に得ることができる。
条件式（４）の上限を上回ると、第３レンズ群Ｇ３中の最も物体側から２枚目の負レンズ（３２または３２’）の負のパワーが弱くなりすぎて、球面収差が補正不足となってしまう。
条件式（４）の下限を下回ると、第３レンズ群Ｇ３中の最も物体側から２枚目の負レンズ（３２または３２’）の負のパワーが強くなりすぎて、球面収差が過剰補正となってしまう。
【００４９】
上述したように、第１レンズ群Ｇ１は、全数値実施例１−７を通じて、１枚の負レンズ１１と２枚の正レンズ１２、１３とからなる。これにより、長焦点距離端での球面収差や軸上色収差を良好に補正することができる。なお、第１レンズ群Ｇ１にさらに正レンズを追加して、第１レンズ群Ｇ１に３枚以上の正レンズを含ませてもよい。
【００５０】
条件式（５）は、第１レンズ群Ｇ１を上記のように構成した上で、第１レンズ群Ｇ１中の負レンズ１１のｄ線に対するアッベ数を規定している。条件式（５）を満足することで、短焦点距離端での倍率色収差および長焦点距離端での軸上色収差を良好に補正するとともに、ｇ線の二次スペクトルの発生を抑えて優れた光学性能を達成することができる。
条件式（５）の上限を上回ると、短焦点距離端での倍率色収差および長焦点距離端での軸上色収差が補正不足となる。
条件式（５）の下限を下回ると、第１レンズ群Ｇ１中の負レンズ１１の部分分散比が大きくなるため、ｇ線の二次スペクトルが大きく発生してしまう。部分分散比は以下の式で表される。
θgF ＝ (ng − nF) ／ (nF − nC)
ここでng、nF、nCは各々g線、F線、C線の屈折率である。
【００５１】
条件式（６）は、第１レンズ群Ｇ１を上記のように構成した上で、第１レンズ群Ｇ１中の２枚の正レンズ１２、１３のｄ線に対するアッベ数の平均値を規定している。条件式（６）を満足することで、特に長焦点距離端における軸上色収差の二次スペクトルを良好に補正して優れた光学性能を達成することができる。
条件式（６）の下限を下回ると、特に長焦点距離端における軸上色収差の二次スペクトルが補正困難になってしまう。
【００５２】
上述したように、第５レンズ群Ｇ５は、無限遠物体から近距離物体へのフォーカシングに際して光軸方向に移動するフォーカスレンズ群であり、このフォーカスレンズ群である第５レンズ群Ｇ５は、物体側から順に、負レンズ５１と、正レンズ５２と負レンズ５３の接合レンズと、負レンズ５４とから構成されている。このように、径も重量も小さい第５レンズ群Ｇ５をフォーカスレンズ群とすることで、フォーカシング機構を含む機構全体の小型化、軽量化、構造の簡単化を図ることができる。
【００５３】
条件式（７）は、第５レンズ群Ｇ５を上記のように構成した上で、第５レンズ群Ｇ５中の接合レンズ（負レンズ５３）から最も像側の負レンズ５４までの軸上間隔（第５レンズ群Ｇ５中の負レンズ５３の像側の面から負レンズ５４の物体側の面までの空気間隔）と、第５レンズ群Ｇ５の焦点距離との比を規定している。条件式（７）を満足するように、第５レンズ群Ｇ５中の接合レンズ（負レンズ５３）から負レンズ５４までの間隔を最適設定することで、長焦点距離端での周辺光量を十分に確保することができる。また、第５レンズ群Ｇ５の負のパワーを維持しながら個々のレンズのパワーを弱くできるので、フォーカシング時の球面収差、コマ収差、非点収差の変動を抑えて優れた光学性能を達成することができる。さらに、レンズ最終面をなるべく後方に位置させることで、軸外光線の射出角が大きくなり、特に長焦点距離端で軸外光線がマウント部品でケラレを少なくすることができる。
条件式（７）の上限を上回ると、第５レンズ群Ｇ５中の接合レンズ（負レンズ５３）から負レンズ５４までの間隔が長くなりすぎて、負レンズ５４での軸外光線の屈折が大きくなり、ディストーションが大きく発生してしまう。
条件式（７）の下限を下回ると、第５レンズ群Ｇ５の個々のレンズのパワーが強くなりすぎて、フォーカシング時の収差変動が大きくなるとともに、長焦点距離端での周辺光量が小さくなってしまう。
【００５４】
条件式（８）および（９）は、第５レンズ群Ｇ５を上記のように構成した上で、第５レンズ群Ｇ５中の接合レンズの負レンズ５３のｄ線に対するアッベ数および部分分散比をそれぞれ規定している。
望遠ズームレンズ系は、一般的に、長焦点距離端においてＣ線やＦ線の倍率色収差を補正すると、ｇ線の倍率色収差が補正不足になる傾向がある。そこで本実施形態のズームレンズ系は、第５レンズ群Ｇ５中の接合レンズの負レンズ５３を、条件式（８）および（９）を満足する硝材で構成することにより、長焦点距離端において、ｇ線の倍率色収差を良好に補正している。
条件式（８）の下限を下回ると、倍率色収差が補正困難になってしまう。
条件式（９）の下限を下回ると、長焦点距離端におけるｇ線の倍率色収差の補正の効果が小さくなってしまう。
【００５５】
上述したように、第２レンズ群Ｇ２は、数値実施例１−６では、物体側から順に位置する物体側に凸面を向けた正レンズ２１と像側に凹面を向けた負レンズ２２の接合レンズから構成されている。第２レンズ群Ｇ２の最も物体側の面（正レンズ２１の物体側の面）を物体側に凸とすることで、第１レンズ群Ｇ１で収束された光線の屈折を少なくし、正レンズ２１と負レンズ２２の接合面と負レンズ２２の像側面とによって効果的に色収差を補正することができる。
【００５６】
条件式（１０）、（１１）および（１２）は、第２レンズ群Ｇ２を上記のように構成した上で、第２レンズ群Ｇ２中の接合レンズの正レンズ２１と負レンズ２２が満足するべき硝材の条件を規定している。条件式（１０）、（１１）、（１２）を満足することで、第２レンズ群Ｇ２を正レンズ２１と負レンズ２２という少ないレンズ枚数で構成しながらも、収差（特に長焦点距離端でのｇ線の軸上色収差）を良好に補正して優れた光学性能を達成することができる。
条件式（１０）、（１１）、（１２）を満足しないと、収差（特に長焦点距離端でのｇ線の軸上色収差）の補正が困難になってしまう。
【００５７】
条件式（１３）は、第１レンズ群Ｇ１の焦点距離と、第２レンズ群Ｇ２の焦点距離との比を規定している。条件式（１３）を満足することで、軸上色収差、倍率色収差、球面収差を良好に補正して優れた光学性能を達成することができる。
条件式（１３）の上限を上回ると、第２レンズ群Ｇ２の負のパワーが弱くなりすぎて、長焦点距離端において軸上色収差が補正不足となってしまう。
条件式（１３）の下限を下回ると、第２レンズ群Ｇ２の負のパワーが強くなりすぎて、短焦点距離端において倍率色収差が過剰補正になってしまう。また、第３レンズ群Ｇ３への入射光線の発散度が強くなるため、第３レンズ群Ｇ３のパワーが強くなって球面収差が大きく発生してしまう。
【実施例】
【００５８】
次に具体的な数値実施例１−７を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−７を通じて、非球面レンズは用いていない。
【００５９】
［数値実施例１］
図１〜図６と表１〜表３は、本発明によるズームレンズ系の数値実施例１を示している。図１は短焦点距離端における無限遠合焦時のレンズ構成図、図２はその諸収差図、図３はその横収差図であり、図４は長焦点距離端における無限遠合焦時のレンズ構成図、図５はその諸収差図、図６はその横収差図である。表１は面データ、表２は各種データ、表３はレンズ群データである。
【００６０】
本数値実施例１のズームレンズ系は、物体側から順に、正の屈折力の第１レンズ群Ｇ１と、負の屈折力の第２レンズ群Ｇ２と、負の屈折力の第３レンズ群Ｇ３と、正の屈折力の第４レンズ群Ｇ４と、負の屈折力の第５レンズ群Ｇ５とからなる。第３レンズ群Ｇ３と第４レンズ群Ｇ４との間（第３レンズ群Ｇ３の直後）には絞りＳが位置しており、この絞りＳは、短焦点距離端から長焦点距離端への変倍に際し、第３レンズ群Ｇ３と一緒に、像面Ｉに対して固定されている（光軸方向に移動しない）。
【００６１】
第１レンズ群Ｇ１は、物体側から順に、物体側に凸の負メニスカスレンズ１１と、物体側に凸の正メニスカスレンズ１２と、両凸正レンズ１３とからなる。
【００６２】
第２レンズ群Ｇ２は、物体側から順に位置する両凸正レンズ２１と両凹負レンズ２２の接合レンズからなる。
【００６３】
第３レンズ群Ｇ３は、物体側から順に、両凸正レンズ３１と、両凹負レンズ３２と、両凸正レンズ３３と、両凹負レンズ３４とからなる。両凸正レンズ３３と両凹負レンズ３４は接合されており、この接合レンズは正の屈折力を持っている。
【００６４】
第４レンズ群Ｇ４は、物体側から順に、物体側に凸の負メニスカスレンズ４１と、両凸正レンズ４２と、両凸正レンズ４３と、像側に凸の負メニスカスレンズ４４と、両凸正レンズ４５とからなる。両凸正レンズ４３と負メニスカスレンズ４４は接合されている。
【００６５】
第５レンズ群Ｇ５は、物体側から順に、物体側に凸の負メニスカスレンズ５１と、両凸正レンズ５２と、像側に凸の負メニスカスレンズ５３と、両凹負レンズ５４とからなる。両凸正レンズ５２と負メニスカスレンズ５３は接合されている。
【００６６】
（表１）
面データ
面番号          R          d          N(d)        ν(d)
1           316.957      2.966      1.74950       35.3
2           135.722      0.450
3           145.847      8.089      1.49700       81.6
4          1973.988      0.100
5           159.562      8.683      1.53775       74.7
6         -1106.779        d6
7            93.601      4.547      1.71736       29.5
8          -594.280      1.600      1.78590       44.2
9            57.359        d9
10           79.178      6.050      1.51633       64.1
11        -3090.887      1.775
12          -86.700      1.450      1.80610       40.9
13          261.975      1.750
14           51.537      7.015      1.63980       34.5
15          -92.009      1.563      1.75700       47.8
16           84.591      4.700
17絞           ∞         d17
18          303.474      1.703      1.71736       29.5
19           88.857      0.700
20          136.264      6.071      1.61800       63.4
21          -78.404      0.885
22          504.407      7.164      1.58913       61.2
23          -38.141      1.400      1.74950       35.3
24         -304.892      0.100
25           85.399      6.254      1.65844       50.9
26         -209.169       d26
27          195.066      1.300      1.83481       42.7
28           54.584      2.158
29         1009.436      4.614      1.71736       29.5
30          -45.585      1.684      1.49700       81.6
31         -122.906     14.518
32          -52.996      1.300      1.80400       46.6
33          445.364        -
（表２）
各種データ
ズーム比（変倍比）    2.87
短焦点距離端          中間焦点距離          長焦点距離端
FNO.            4.6                   5.1                   5.7
f            153.50                260.00                440.00
W               7.9                   4.7                   2.8
Y             21.64                 21.64                 21.64
fB            50.74                 66.32                 96.17
L            277.95                316.89                343.64
d6           19.995                82.586               133.054
d9           50.870                27.220                 3.500
d17          26.239                21.425                 8.433
d26          29.522                18.749                 1.900
（表３）
レンズ群データ
群          始面          焦点距離
1              1            260.16
2              7           -173.02
3             10           -363.61
4             18             60.52
5             27            -52.48
【００６７】
［数値実施例２］
図７〜図１２と表４〜表６は、本発明によるズームレンズ系の数値実施例２を示している。図７は短焦点距離端における無限遠合焦時のレンズ構成図、図８はその諸収差図、図９はその横収差図であり、図１０は長焦点距離端における無限遠合焦時のレンズ構成図、図１１はその諸収差図、図１２はその横収差図である。表４は面データ、表５は各種データ、表６はレンズ群データである。
【００６８】
この数値実施例２のレンズ構成は、以下の点において、数値実施例１のレンズ構成と異なっている。
（１）第１レンズ群Ｇ１の正レンズ１２が両凸正レンズである。
（２）第３レンズ群Ｇ３の正レンズ３１が物体側に凸の正メニスカスレンズである。
（３）第５レンズ群Ｇ５の正レンズ５２が像側に凸の正メニスカスレンズである。
【００６９】
（表４）
面データ
面番号          R          d          N(d)        ν(d)
1           310.390      2.950      1.83400       37.2
2           145.172      0.570
3           160.068      8.076      1.53775       74.7
4         -8439.222      0.100
5           142.551      9.427      1.43875       95.0
6          -901.412        d6
7           101.125      4.275      1.71736       29.5
8         -9247.192      1.500      1.74320       49.3
9            56.027        d9
10           62.448      4.191      1.51633       64.1
11          388.506      6.738
12          -88.865      1.450      1.80610       40.9
13          153.831      1.000
14           55.341      6.499      1.62004       36.3
15          -72.950      1.450      1.72000       50.2
16          105.744      4.600
17絞           ∞         d17
18          220.617      2.960      1.71736       29.5
19           89.322      0.945
20          175.328      5.882      1.61800       63.4
21          -71.346      1.188
22          267.876      7.104      1.58913       61.2
23          -41.261      1.400      1.74950       35.3
24         -960.443      1.512
25           75.092      5.760      1.65844       50.9
26         -284.531       d26
27           84.984      1.350      1.83481       42.7
28           45.254      2.819
29         -826.005      4.320      1.74000       28.3
30          -45.833      2.699      1.53775       74.7
31         -111.510     10.070
32          -54.637      1.340      1.80400       46.6
33          276.354        -
（表５）
各種データ
ズーム比（変倍比）    2.86
短焦点距離端          中間焦点距離          長焦点距離端
FNO.            4.6                   5.1                   5.8
f            153.69                259.97                439.00
W               7.9                   4.7                   2.8
Y             21.64                 21.64                 21.64
fB            56.92                 72.30                101.08
L            280.38                318.90                345.52
d6           17.258                78.372               126.698
d9           47.792                25.201                 3.500
d17          27.613                22.563                10.176
d26          28.616                18.291                 1.900
（表６）
レンズ群データ
群          始面          焦点距離
1              1            255.14
2              7           -170.68
3             10           -297.68
4             18             58.96
5             27            -54.87
【００７０】
［数値実施例３］
図１３〜図１８と表７〜表９は、本発明によるズームレンズ系の数値実施例３を示している。図１３は短焦点距離端における無限遠合焦時のレンズ構成図、図１４はその諸収差図、図１５はその横収差図であり、図１６は長焦点距離端における無限遠合焦時のレンズ構成図、図１７はその諸収差図、図１８はその横収差図である。表７は面データ、表８は各種データ、表９はレンズ群データである。
【００７１】
この数値実施例３のレンズ構成は、以下の点において、数値実施例１のレンズ構成と異なっている。
（１）第１レンズ群Ｇ１の負メニスカスレンズ１１と正メニスカスレンズ１２が接合されている。
（２）第３レンズ群Ｇ３の正レンズ３１が物体側に凸の正メニスカスレンズである。
（３）第４レンズ群Ｇ４の正レンズ４３が像側に凸の平凸正レンズである。
【００７２】
（表７）
面データ
面番号          R          d          N(d)        ν(d)
1           291.258      2.950      1.80610       40.9
2           123.095      9.351      1.49700       81.6
3          4408.662      0.100
4           157.341      8.841      1.49700       81.6
5          -947.739        d5
6           118.821      4.451      1.71736       29.5
7          -507.283      2.043      1.74320       49.3
8            59.367        d8
9            73.165      4.011      1.51633       64.1
10         2511.173      2.025
11          -80.697      1.450      1.80610       40.9
12          426.128      1.342
13           52.061      6.645      1.62004       36.3
14         -106.304      1.451      1.72000       50.2
15           85.002      4.701
16絞           ∞         d16
17          269.997      1.654      1.67270       32.1
18           74.694      0.783
19          110.334      6.810      1.48749       70.2
20          -70.310      0.375
21             ∞        6.836      1.58913       61.2
22          -38.390      1.700      1.74950       35.3
23         -177.815      0.100
24           78.842      5.420      1.65844       50.9
25         -237.757       d25
26          152.521      1.700      1.83481       42.7
27           55.040      2.697
28         1021.539      4.919      1.71736       29.5
29          -50.116      2.454      1.49700       81.6
30         -175.242     17.981
31          -56.236      1.340      1.80400       46.6
32          385.602        -
（表８）
各種データ
ズーム比（変倍比）    2.86
短焦点距離端          中間焦点距離          長焦点距離端
FNO.            4.6                   5.1                   5.8
f            153.70                260.00                439.50
W               7.9                   4.7                   2.8
Y             21.64                 21.64                 21.64
fB            50.73                 66.08                 95.33
L            281.48                320.87                346.58
d5           19.474                81.850               132.020
d8           50.941                27.957                 3.504
d16          26.674                21.769                 9.197
d25          29.526                19.075                 2.398
（表９）
レンズ群データ
群          始面          焦点距離
1              1            262.74
2              6           -160.06
3              9           -528.81
4             17             63.09
5             26            -52.68
【００７３】
［数値実施例４］
図１９〜図２４と表１０〜表１２は、本発明によるズームレンズ系の数値実施例４を示している。図１９は短焦点距離端における無限遠合焦時のレンズ構成図、図２０はその諸収差図、図２１はその横収差図であり、図２２は長焦点距離端における無限遠合焦時のレンズ構成図、図２３はその諸収差図、図２４はその横収差図である。表１０は面データ、表１１は各種データ、表１２はレンズ群データである。
【００７４】
この数値実施例４のレンズ構成は、以下の点において、数値実施例１のレンズ構成と異なっている。
（１）第１レンズ群Ｇ１の負メニスカスレンズ１１と正メニスカスレンズ１２が接合されている。
（２）第５レンズ群Ｇ５において、正レンズ５２が像側に凸の正メニスカスレンズであり、負レンズ５３が両凹負レンズであり、負レンズ５４が像側に凸の負メニスカスレンズである。
【００７５】
（表１０）
面データ
面番号          R          d          N(d)        ν(d)
1           276.890      3.000      1.80610       40.9
2           127.962      9.494      1.49700       81.6
3          1476.190      0.100
4           172.079      9.121      1.49700       81.6
5          -922.480        d5
6           130.719      5.509      1.71736       29.5
7          -271.448      3.169      1.74320       49.3
8            58.102        d8
9            84.414      3.935      1.49700       81.6
10         -427.703      1.694
11          -76.955      1.450      1.80610       40.9
12          427.083      1.750
13           55.509      6.172      1.62004       36.3
14          -95.120      1.450      1.72916       54.7
15          121.155      4.700
16絞           ∞         d16
17          677.151      1.550      1.71736       29.5
18           80.575      0.700
19          117.012      6.286      1.58313       59.4
20          -82.863      0.300
21          119.646      8.136      1.58913       61.2
22          -40.943      1.400      1.74950       35.3
23         -706.210      0.100
24           70.564      4.980      1.65844       50.9
25         -247.208       d25
26          140.606      1.300      1.83481       42.7
27           42.727      3.457
28        -2015.067      4.946      1.71736       29.5
29          -39.267      1.300      1.49700       81.6
30         2519.443     20.053
31          -48.532      1.200      1.80400       46.6
32         -153.423        -
（表１１）
各種データ
ズーム比（変倍比）    3.16
短焦点距離端          中間焦点距離          長焦点距離端
FNO.            4.6                   5.1                   5.7
f            153.70                274.98                485.40
W               7.9                   4.4                   2.5
Y             21.64                 21.64                 21.64
fB            49.43                 63.48                 89.50
L            290.99                337.65                371.92
d5           36.234               104.733               156.731
d8           43.068                21.232                 3.500
d16          31.940                25.687                13.033
d25          23.059                15.269                 1.900
（表１２）
レンズ群データ
群          始面          焦点距離
1              1            280.68
2              6           -141.92
3              9          -1151.46
4             17             55.68
5             26            -45.27
【００７６】
［数値実施例５］
図２５〜図３０と表１３〜表１５は、本発明によるズームレンズ系の数値実施例５を示している。図２５は短焦点距離端における無限遠合焦時のレンズ構成図、図２６はその諸収差図、図２７はその横収差図であり、図２８は長焦点距離端における無限遠合焦時のレンズ構成図、図２９はその諸収差図、図３０はその横収差図である。表１３は面データ、表１４は各種データ、表１５はレンズ群データである。
【００７７】
この数値実施例５のレンズ構成は、以下の点において、数値実施例１のレンズ構成と異なっている。
（１）第１レンズ群Ｇ１の負メニスカスレンズ１１と正メニスカスレンズ１２が接合されている。
（２）第３レンズ群Ｇ３が、物体側から順に、物体側に凸の正メニスカスレンズ３１’と、両凹負レンズ３２’と、物体側に凸の正メニスカスレンズ３３’とからなる。
（３）第５レンズ群Ｇ５において、負レンズ５３が両凹負レンズであり、負レンズ５４が像側に凸の負メニスカスレンズである。
【００７８】
（表１３）
面データ
面番号          R          d          N(d)        ν(d)
1           252.584      3.100      1.80610       40.9
2           116.420      9.566      1.49700       81.6
3          3346.979      0.100
4           156.028      8.668      1.49700       81.6
5         -1042.449        d5
6           113.388      4.558      1.72825       28.5
7          -499.442      1.550      1.74320       49.3
8            61.920        d8
9            71.297      4.197      1.49700       81.6
10         4696.152      2.019
11          -82.677      1.500      1.78590       44.2
12          124.339      1.000
13           69.926      3.905      1.74950       35.3
14          241.306      4.120
15絞           ∞         d15
16          156.185      2.500      1.76182       26.5
17           72.867      1.169
18          135.095      5.325      1.48749       70.2
19          -78.891      0.100
20          215.140      6.978      1.62299       58.2
21          -41.250      1.400      1.79952       42.2
22         -300.059      0.100
23           64.592      5.335      1.58913       61.2
24         -196.277       d24
25          124.996      1.500      1.83481       42.7
26           40.795      2.917
27         1026.876      5.521      1.71736       29.5
28          -39.392      2.200      1.49700       81.6
29          262.270     18.075
30          -45.243      1.500      1.81600       46.6
31         -130.110        -
（表１４）
各種データ
ズーム比（変倍比）    2.86
短焦点距離端          中間焦点距離          長焦点距離端
FNO.            4.6                   5.2                   5.7
f            153.69                260.00                439.50
W               7.8                   4.7                   2.8
Y             21.64                 21.64                 21.64
fB            49.15                 65.32                 91.63
L            266.79                301.42                336.79
d5            7.429                68.732               121.137
d8           54.983                28.314                11.274
d15          33.852                25.901                12.241
d24          22.471                14.250                 1.600
（表１５）
レンズ群データ
群          始面          焦点距離
1              1            248.58
2              6           -187.34
3              9          -1008.59
4             16             57.85
5             25            -42.52
【００７９】
［数値実施例６］
図３１〜図３６と表１６〜表１８は、本発明によるズームレンズ系の数値実施例６を示している。図３１は短焦点距離端における無限遠合焦時のレンズ構成図、図３２はその諸収差図、図３３はその横収差図であり、図３４は長焦点距離端における無限遠合焦時のレンズ構成図、図３５はその諸収差図、図３６はその横収差図である。表１６は面データ、表１７は各種データ、表１８はレンズ群データである。
【００８０】
この数値実施例６のレンズ構成は、以下の点において、数値実施例１のレンズ構成と異なっている。
（１）第１レンズ群Ｇ１の負メニスカスレンズ１１と正メニスカスレンズ１２が接合されている。
（２）第２レンズ群Ｇ２において、正レンズ２１が物体側に凸の正メニスカスレンズであり、負レンズ２２が物体側に凸の負メニスカスレンズである。
（３）第３レンズ群Ｇ３が、物体側から順に、物体側に凸の正メニスカスレンズ３１’と、両凹負レンズ３２’と、物体側に凸の正メニスカスレンズ３３’とからなる。
（４）第５レンズ群Ｇ５において、正レンズ５２が像側に凸の正メニスカスレンズであり、負レンズ５４が像側に凸の負メニスカスレンズである。
【００８１】
（表１６）
面データ
面番号          R          d          N(d)        ν(d)
1           255.245      2.950      1.80610       40.9
2           113.275      9.793      1.49700       81.6
3          2531.658      0.100
4           136.873      9.333      1.49700       81.6
5         -1498.310        d5
6            77.961      5.016      1.72825       28.5
7          5708.122      1.700      1.74320       49.3
8            50.273        d8
9            50.203      3.532      1.49700       81.6
10          118.444      6.578
11          -77.768      1.450      1.77250       49.6
12           99.137      2.000
13           60.096      4.204      1.72047       34.7
14           92.196      4.700
15絞           ∞         d15
16          394.826      1.741      1.80000       29.9
17           73.088      0.700
18          101.742      6.610      1.48749       70.2
19          -62.769      0.300
20          152.246      7.212      1.62299       58.2
21          -41.067      1.400      1.79952       42.2
22         -196.568      6.292
23           87.318      5.604      1.58913       61.2
24         -101.994       d24
25          453.753      1.500      1.83481       42.7
26           56.304      2.524
27         -490.756      5.766      1.71736       29.5
28          -37.096      2.140      1.49700       81.6
29         -102.188     15.525
30          -45.286      1.400      1.80400       46.6
31         -309.910        -
（表１７）
各種データ
ズーム比（変倍比）    2.86
短焦点距離端          中間焦点距離          長焦点距離端
FNO.            4.6                   5.2                   5.8
f            153.70                260.00                439.00
W               7.8                   4.7                   2.8
Y             21.64                 21.64                 21.64
fB            50.20                 65.28                 89.00
L            275.65                311.01                341.55
d5           20.778                75.934               119.217
d8           49.195                29.403                16.660
d15          19.598                14.052                 5.000
d24          25.807                16.275                 1.600
（表１８）
レンズ群データ
群          始面          焦点距離
1              1            239.72
2              6           -203.92
3              9           -146.57
4             16             52.09
5             25            -50.26
【００８２】
［数値実施例７］
図３７〜図４２と表１９〜表２１は、本発明によるズームレンズ系の数値実施例７を示している。図３７は短焦点距離端における無限遠合焦時のレンズ構成図、図３８はその諸収差図、図３９はその横収差図であり、図４０は長焦点距離端における無限遠合焦時のレンズ構成図、図４１はその諸収差図、図４２はその横収差図である。表１９は面データ、表２０は各種データ、表２１はレンズ群データである。
【００８３】
この数値実施例７のレンズ構成は、以下の点において、数値実施例１のレンズ構成と異なっている。
（１）第１レンズ群Ｇ１の正レンズ１２が両凸正レンズである。
（２）第２レンズ群Ｇ２が、物体側から順に、物体側に凸の負メニスカスレンズ２１’と、物体側に凸の負メニスカスレンズ２２’と、物体側に凸の正メニスカスレンズ２３’とからなる。負メニスカスレンズ２２’と正メニスカスレンズ２３’は接合されている。
（３）第３レンズ群Ｇ３が（負の屈折力ではなく）正の屈折力を有している。この正の屈折力の第３レンズ群Ｇ３は、物体側から順に、両凸正レンズ３１’と、像側に凸の負メニスカスレンズ３２’と、物体側に凸の正メニスカスレンズ３３’とからなる。
（４）第４レンズ群Ｇ４の正レンズ４２が像側に凸の正メニスカスレンズである。
（５）第５レンズ群Ｇ５において、正レンズ５２が像側に凸の正メニスカスレンズであり、負レンズ５４が像側に凸の負メニスカスレンズである。
【００８４】
（表１９）
面データ
面番号          R          d          N(d)        ν(d)
1           456.569      2.900      1.79952       42.2
2           142.163      0.300
3           149.277      9.323      1.49700       81.6
4          -633.800      0.100
5           140.083      8.804      1.49700       81.6
6         -2038.146        d6
7           138.728      2.024      1.74950       35.3
8            76.688     11.632
9           720.104      1.500      1.61800       63.4
10           47.161      3.592      1.76182       26.5
11           91.497       d11
12           80.521      4.571      1.49700       81.6
13         -176.382      3.952
14          -61.974      1.500      1.77250       49.6
15         -599.452      0.100
16           74.144      3.355      1.74950       35.3
17          150.056      3.500
18絞           ∞         d18
19         2625.497      1.500      1.78472       25.7
20          117.351      1.309
21        -4704.844      4.666      1.48749       70.2
22          -54.858      0.100
23          152.559      6.683      1.62299       58.2
24          -41.191      1.400      1.79952       42.2
25         -248.043      0.100
26           68.815      4.389      1.58913       61.2
27         -633.278       d27
28          200.837      1.500      1.83481       42.7
29           48.720      2.698
30         -313.694      5.228      1.69895       30.1
31          -35.565      1.500      1.49700       81.6
32         -136.390     16.570
33          -45.567      1.500      1.81600       46.6
34         -167.314        -
（表２０）
各種データ
ズーム比（変倍比）    3.54
短焦点距離端          中間焦点距離          長焦点距離端
FNO.            4.6                   5.3                   5.8
f            123.50                232.00                437.00
W               9.7                   5.2                   2.8
Y             21.64                 21.64                 21.64
fB            41.50                 60.14                 92.01
L            259.68                299.75                339.90
d6            5.000                70.129               127.521
d11          45.297                20.245                 3.000
d18          33.932                24.195                 9.470
d27          27.656                18.747                 1.600
（表２１）
レンズ群データ
群          始面          焦点距離
1              1            247.23
2              7           -111.83
3             12            303.44
4             19             65.75
5             28            -49.25
【００８５】
各数値実施例の各条件式に対する値を表２２に示す。なお、数値実施例７については、前提となる第２レンズ群Ｇ２のレンズ構成が異なるため、条件式（１０）〜（１２）の対応数値を計算することができない。
（表２２）
実施例１      実施例２      実施例３      実施例４
条件式（１）    -4.957        -4.650        -4.987        -6.200
条件式（２）    -0.422        -0.516        -0.291        -0.133
条件式（３）     2.367         2.021         2.257         1.613
条件式（４）    -4.390        -4.160        -3.916        -2.839
条件式（５）     35.30         37.20         40.90         40.90
条件式（６）     78.15         84.85         81.60         81.60
条件式（７）     0.277         0.184         0.341         0.443
条件式（８）     81.60         74.70         81.60         81.60
条件式（９）
（左辺）         0.538         0.539         0.538         0.538
（右辺）         0.516         0.528         0.516         0.516
条件式（１０）
（左辺）          29.5          29.5          29.5          29.5
（右辺）          44.2          49.3          49.3          49.3
条件式（１１）
（左辺）       1.71736       1.71736       1.71736       1.71736
（右辺）       1.78590       1.74320       1.74320       1.74320
条件式（１２）
（左辺）         0.563         0.553         0.553         0.553
（右辺）         0.566         0.558         0.558         0.558
条件式（１３）  -1.504        -1.495        -1.642        -1.978
実施例５      実施例６      実施例７
条件式（１）    -5.846        -4.769        -5.020
条件式（２）    -0.152        -1.049         0.407
条件式（３）     0.893         1.318         1.715
条件式（４）    -2.065        -4.040        -2.142
条件式（５）     40.90         40.90         42.20
条件式（６）     81.60         81.60         81.60
条件式（７）     0.425         0.309         0.336
条件式（８）     81.60         81.60         81.60
条件式（９）
（左辺）         0.538         0.538         0.538
（右辺）         0.516         0.516         0.516
条件式（１０）
（左辺）          28.5          28.5           -
（右辺）          49.3          49.3           -
条件式（１１）
（左辺）       1.72825       1.72825           -
（右辺）       1.74320       1.74320           -
条件式（１２）
（左辺）         0.553         0.553           -
（右辺）         0.558         0.558           -
条件式（１３）  -1.327        -1.176        -2.211
【００８６】
表２２から明らかなように、数値実施例１〜数値実施例６は、条件式（１）〜（１３）を満足しており、数値実施例７は、条件式（１）〜（９）、（１３）を満足しており、諸収差図及び横収差図から明らかなように諸収差及び横収差は比較的よく補正されている。
【００８７】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００８８】
Ｇ１  正の屈折力の第１レンズ群
１１  負レンズ
１２  正レンズ
１３  正レンズ
Ｇ２  負の屈折力の第２レンズ群
２１  正レンズ（物体側に凸面を向けた正レンズ）
２２  負レンズ（像側に凹面を向けた負レンズ）
２１’  負レンズ
２２’  負レンズ
２３’  正レンズ
Ｇ３  正または負の屈折力の第３レンズ群
３１  正レンズ
３２  負レンズ
３３  正レンズ
３４  負レンズ
３１’  正レンズ
３２’  負レンズ
３３’  正レンズ
Ｇ４  正の屈折力の第４レンズ群
４１  負レンズ
４２  正レンズ
４３  正レンズ
４４  負レンズ
４５  正レンズ
Ｇ５  負の屈折力の第５レンズ群
５１  負レンズ
５２  正レンズ
５３  負レンズ
５４  負レンズ
Ｓ  絞り
Ｉ  像面
【図１】
2015129788.tif 000003
【図２】
2015129788.tif 000004
【図３】
2015129788.tif 000005
【図４】
2015129788.tif 000006
【図５】
2015129788.tif 000007
【図６】
2015129788.tif 000008
【図７】
2015129788.tif 000009
【図８】
2015129788.tif 000010
【図９】
2015129788.tif 000011
【図１０】
2015129788.tif 000012
【図１１】
2015129788.tif 000013
【図１２】
2015129788.tif 000014
【図１３】
2015129788.tif 000015
【図１４】
2015129788.tif 000016
【図１５】
2015129788.tif 000017
【図１６】
2015129788.tif 000018
【図１７】
2015129788.tif 000019
【図１８】
2015129788.tif 000020
【図１９】
2015129788.tif 000021
【図２０】
2015129788.tif 000022
【図２１】
2015129788.tif 000023
【図２２】
2015129788.tif 000024
【図２３】
2015129788.tif 000025
【図２４】
2015129788.tif 000026
【図２５】
2015129788.tif 000027
【図２６】
2015129788.tif 000028
【図２７】
2015129788.tif 000029
【図２８】
2015129788.tif 000030
【図２９】
2015129788.tif 000031
【図３０】
2015129788.tif 000032
【図３１】
2015129788.tif 000033
【図３２】
2015129788.tif 000034
【図３３】
2015129788.tif 000035
【図３４】
2015129788.tif 000036
【図３５】
2015129788.tif 000037
【図３６】
2015129788.tif 000038
【図３７】
2015129788.tif 000039
【図３８】
2015129788.tif 000040
【図３９】
2015129788.tif 000041
【図４０】
2015129788.tif 000042
【図４１】
2015129788.tif 000043
【図４２】
2015129788.tif 000044
【図４３】
2015129788.tif 000045